(57)【要約】【課題】かさ張らずに安価に製造でき、上着とスラックスまたはスカート、シャツ類を同時に掛けて、室内空間を有効に使用することができる衣類用二重ハンガーを提供するものである。【解決手段】逆Ｖ形状に左右の傾斜腕３、３を形成した第一の掛け枠２と、この上部中央に設けたフック７と、逆Ｖ形状に左右の傾斜腕５、５を形成し、この両下部をクロスバー６で連結した三角形状の第二の掛け枠４と、この第二の掛け枠４の上部に前記第一の掛け枠２の下部と間隔をおいて連結する連結部８とを平面状に一体にプラスチックで形成し、第一の掛け枠２を上着掛け１１とし、第二の掛け枠４をシャツ類掛け１２およびスラックスまたはスカート掛け１３としたものである。【選択図】  図１
0003168836.tif 000002
【実用新案登録請求の範囲】
【請求項１】
逆Ｖ形状に左右の傾斜腕を形成した第一の掛け枠と、この上部中央に設けたフックと、逆Ｖ形状に左右の傾斜腕を形成し、この両下部をクロスバーで連結した三角形状の第二の掛け枠と、この第二の掛け枠の上部に前記第一の掛け枠の下部と間隔をおいて連結する連結部とを平面状に一体にプラスチックで形成し、第一の掛け枠を上着掛けとし、第二の掛け枠をシャツ類掛けおよびスラックスまたはスカート掛けとしたことを特徴とする衣類用二重ハンガー。
【請求項２】
第一の掛け枠を構成する左右の傾斜腕の下部に、第二の掛け枠を構成する左右の傾斜腕の上面と接離自在に荷重支え部を突設したことを特徴とする請求項１記載の衣類用二重ハンガー。
【請求項３】
第一の掛け枠と第二の掛け枠とを連結する連結部に貫通孔を形成して、ここをネクタイ掛けとしたことを特徴とする請求項１または２記載の衣類用二重ハンガー。
【考案の詳細な説明】
【技術分野】
【０００１】
本考案は、衣類用二重ハンガーに関するものである。
【背景技術】
【０００２】
一般に使用されている衣類用ハンガーは、逆Ｖ形状に左右の傾斜腕を形成し、この両下部をクロスバーで連結した三角形状に形成したものが用いられている。この衣類用ハンガーは、左右の傾斜腕に上着を掛け、クロスバーにスラックスやスカートを掛けている。またＹシャツやブラウスなどのシャツ類やネクタイは別の衣類用ハンガーに掛けており、少なくも二本のハンガーを使用する必要があった。このため、衣類掛けや室内の壁に２本のハンガーを吊下げなければならずかさ張る問題があった。
【０００３】
これを解決するため、第一のハンガーの前に第二のハンガーを、その上部で開閉自在に連結した二重ハンガーが開発されている（特許文献１）。しかしながらこの二重ハンガーも２個のハンガーを、その上部で単に開閉自在に連結しただけで、かさ張る上、製造コストも高い問題があった。
【先行技術文献】
【特許文献】
【０００４】
【特許文献１】実開平６−３１５８０号公報
【考案の概要】
【考案が解決しようとする課題】
【０００５】
本考案は上記問題を改善し、第一の掛け枠と第二の掛け枠を平面状に一体にプラスチックで成形して、かさ張らずに安価に製造でき、上着とスラックスやスカート、およびＹシャツやブラウスなどのシャツ類を同時に掛けて、室内空間を有効に使用することができる衣類用二重ハンガーを提供するものである。
【課題を解決するための手段】
【０００６】
本考案の請求項１記載の衣類用二重ハンガーは、逆Ｖ形状に左右の傾斜腕を形成した第一の掛け枠と、この上部中央に設けたフックと、逆Ｖ形状に左右の傾斜腕を形成し、この両下部をクロスバーで連結した三角形状の第二の掛け枠と、この第二の掛け枠の上部に前記第一の掛け枠の下部と間隔をおいて連結する連結部とを平面状に一体にプラスチックで形成し、第一の掛け枠を上着掛けとし、第二の掛け枠をシャツ類掛けおよびスラックスまたはスカート掛けとしたことを特徴とするものである。
【０００７】
本考案の請求項２記載の衣類用二重ハンガーは、請求項１において、第一の掛け枠を構成する左右の傾斜腕の下部に、第二の掛け枠を構成する左右の傾斜腕の上面と接離自在に荷重支え部を突設したことを特徴とするものである。
【０００８】
本考案の請求項３記載の衣類用二重ハンガーは、請求項１または２において、第一の掛け枠と第二の掛け枠とを連結する連結部に貫通孔を形成して、ここをネクタイ掛けとしたことを特徴とするものである。
【考案の効果】
【０００９】
本考案に係る請求項１記載の衣類用二重ハンガーによれば、一つのハンガーに上着とスラックスやスカート、Ｙシャツやブラウスなどのシャツ類を同時に掛けることができるので室内空間を有効に使用し、しかも平面状に一体にプラスチックで形成されているので、かさ張らず、軽量で安価に製造することができる。
【００１０】
また請求項２記載の衣類用二重ハンガーによれば、上着を掛ける第一の掛け枠に大きな荷重が加わるが、左右の傾斜腕の下部に突設した荷重支え部が、この下の第二の掛け枠の上面と接離自在に当接するので、傾斜腕が細くても変形を防止することができる。更に荷重支え部を持ち上げると隙間ができるのでＹシャツやブラウスなどのシャツ類の取付けや取外しに支障はなく、また上着の荷重により、荷重支え部が第二の掛け枠と密着することにより、シャツ類のずり落ち防止の効果も得られる。
【００１１】
また請求項３記載の衣類用二重ハンガーによれば、第一の掛け枠と第二の掛け枠とを連結する連結部に貫通孔を形成して、ここをネクタイ掛けとしたので、紳士用や婦人用の衣服を全部掛けることができる。
【考案を実施するための最良の形態】
【００１２】
以下本考案の実施の一形態を図１および図２を参照して詳細に説明する。図において１は衣類用二重ハンガーを示すもので、第一の掛け枠２は、左右の傾斜腕３、３を逆Ｖ形状に成形したもので、第二の掛け枠４は左右の傾斜腕５、５を逆Ｖ形状に成形し、この両下部をクロスバー６で連結した三角形状に形成されている。前記第一の掛け枠２の上部中央にはフック７が形成され、この下部と前記第二の掛け枠４の上部とは連結部８で連結され、この連結部８に貫通孔９が開孔され、これらは平面状に一体にプラスチックで形成されている。
【００１３】
上記の衣類用二重ハンガー１は、第一の掛け枠２を上着掛け１１とし、第二の掛け枠２をシャツ類掛け１２とし、クロスバー６をスラックスまたはスカート掛け１３とし、連結部８の貫通孔９をネクタイ掛け１４とする。    
【００１４】
上記構成の衣類用二重ハンガー１に着ている衣服を掛ける時の使用方法は、先ず図２に示すように上着１６を脱いで脇に置いてから、スラックス１７を脱いで、これを第二の掛け枠４のクロスバー６で形成されたスラックスまたはスカート掛け１３に通して二つ折りにして掛ける。次にネクタイ１８を外して連結部８のネクタイ掛け１４となる貫通孔９に通して二つ折りにして掛ける。この後、Ｙシャツ１９を脱いで、これを第二の掛け枠４の左右の傾斜腕５、５に形成されたシャツ類掛け１２に掛ける。最後に脇に置いておいた上着１６を第一の掛け枠２の傾斜腕３に形成した上着掛け１１に掛けることにより、外出着の全部を掛けることができる。
【００１５】
また衣類用二重ハンガー１に掛けておいた衣服を着る時は、例えば上着１６の内側のシャツ類掛け１２から、Ｙシャツ１９を取り外して着る。次にネクタイ掛け１４からネクタイ１８を取り外して締める。この後、スラックスまたはスカート掛け１３からスラックス１７を取り外してはいた後、最後に上着１６を着る。
【００１６】
このように本考案は、一つの衣類用二重ハンガー１で、上着１６とスラックス１７、Ｙシャツ１９、ネクタイ１８の全部を掛けられ、室内空間を有効に使用することができる。しかも平面状に一体にプラスチックで形成されているので、かさ張らず、軽量で安価に製造することができる。
【００１７】
図３は本考案の異なる他の実施の形態を示すもので、第一の掛け枠２を構成する左右の傾斜腕３、３の端部側の下部に、第二の掛け枠４を構成する左右に傾斜腕５、５の上面に当接する荷重支え部２０、２０をそれぞれ接離自在に突設したものである。
【００１８】
この衣類用二重ハンガー１は、プラスチックで形成されているので、上着１６を掛ける第一の掛け枠２に大きな荷重が加わるが、左右の傾斜腕３、３の端部側の下部に突設した荷重支え部２０、２０が、この下の第二の掛け枠４の上面と接離自在に当接するので、傾斜腕３が細くても変形を防止することができる。また荷重支え部２０は持ち上げると第二の掛け枠４との間に隙間ができるのでＹシャツ１９の取付けや取外しに支障はない。また上着１６の荷重により、荷重支え部２０が第二の掛け枠４と密着することにより、Ｙシャツ１９のずり落ち防止の効果も得られる。
【００１９】
なお本考案において、上着としてはスーツの上着や制服の上着、ジャッケト、ジャンパーなどであり、またシャツ類としてはＹシャツ、ブラウス、開襟シャツ、ポロシャツなどに使用することができる。
【産業上の利用可能性】
【００２０】
なお上記説明では家庭で衣服を掛ける場合について説明したが、衣料品店で例えばジャケットとシャツ、ネクタイを組合せ、コンビネーションを見せるディスプレーとしても使用することができる。また持ち運び用の洋服カバーに用いても良い。
【図面の簡単な説明】
【００２１】
【図１】本考案の実施の一形態による衣類用二重ハンガーの正面図である。
【図２】図１の衣類用二重ハンガーに上着とスラックス、Ｙシャツ、ネクタイを掛けた状態を示す正面図である。
【図３】本考案の異なる他の実施の形態による衣類用二重ハンガーの正面図である。
【符号の説明】
【００２２】
１    衣類用二重ハンガー                                    
２    第一の掛け枠                                          
３    傾斜腕                                                
４    第二の掛け枠                                          
５    傾斜腕                                                
６    クロスバー                                            
７    フック                                                
８    連結部                                                
９    貫通孔                                                
１１  上着掛け                                              
１２  シャツ類掛け                                          
１３  スラックスまたはスカート掛け                          
１４  ネクタイ掛け                                          
１６  上着                                                  
１７  スラックス                                            
１８  ネクタイ                                              
１９  Ｙシャツ                                              
２０  荷重支え部                                            
【図１】
0003168836.tif 000003
【図２】
0003168836.tif 000004
【図３】
0003168836.tif 000005